(57)【要約】【課題】燃料電池の水分管理を適切に行うことができ、かつシステムを簡便に構成できる燃料電池システムを提供する。【解決手段】酸化剤流路上に、膜加湿器３３の上流であってエアポンプ３１の下流に水透過膜を用いた気化冷却式の酸化剤冷却器３２を有している。燃料電池１０のカソードから排出された凝縮水は、希釈器３５内に形成された水貯留部に貯留され、通流管ｃ１を介して酸化剤冷却器３２の貯水部３２ａに圧送される。酸化剤冷却器３２に設けられた中空糸膜の内側を通る凝縮水が、中空糸膜の外側を通る乾燥空気の熱によって蒸発することにより、乾燥空気の温度が低下する。燃料電池１０から排出されるカソードオフガスの温度が低下することにより、膜加湿器３３における凝縮水量がアップする。【選択図】図１
2012089284.tif 000002
【特許請求の範囲】
【請求項１】
燃料電池と、
前記燃料電池のカソードに供給される酸化剤が通流する酸化剤流路と、
前記燃料電池のカソードに酸化剤を供給する酸化剤ポンプと、
前記燃料電池から排出される酸化剤オフガスで前記燃料電池に供給される酸化剤を加湿する膜加湿器と、
を備えた燃料電池システムにおいて、
前記酸化剤流路上に、前記膜加湿器の上流であって前記酸化剤ポンプの下流に水透過膜を用いた気化冷却式の酸化剤冷却器を備えることを特徴とする燃料電池システム。
【請求項２】
前記燃料電池の排出流れ中の水を貯留する水貯留部を備え、
前記水貯留部と前記酸化剤冷却器とは水の通流が可能となるように構成されていることを特徴とする請求項１に記載の燃料電池システム。
【請求項３】
前記水貯留部と前記酸化剤冷却器との間において水の通流を可能にする通流管を備え、
前記通流管には、前記水貯留部に貯留された水を前記酸化剤冷却器に送る水ポンプが配置されていることを特徴とする請求項２に記載の燃料電池システム。
【請求項４】
前記酸化剤冷却器の上流であって前記酸化剤ポンプの下流に冷却液との熱交換により酸化剤を冷却する熱交換器を備えることを特徴とする請求項１から請求項３のいずれか１項に記載の燃料電池システム。
【発明の詳細な説明】
【技術分野】
【０００１】
本発明は、燃料電池の膜を加湿する加湿器を備えた燃料電池システムに関する。
【背景技術】
【０００２】
固体高分子膜型の燃料電池システムでは、膜（電解質膜）が乾燥し過ぎると発電性能が低下するため、膜を適度に加湿するように水分管理を行う必要がある。例えば、特許文献１では、燃料電池スタック内に多孔性分離板が備えられ、冷却水によるシステムの冷却、空気の加湿、凝縮水の回収を行う技術が提案されている。また、特許文献２では、燃料電池スタック内に冷却チャンネルが備えられ、水噴射手段を利用して大気から供給される空気に水を噴射して、水混合空気を冷却チャンネルに供給する技術が提案されている。
【先行技術文献】
【特許文献】
【０００３】
【特許文献１】米国特許第５７００５９５号明細書（Ｆｉｇ３）
【特許文献２】特開２００９−２０００２６号公報（段落００３４、図３）
【発明の概要】
【発明が解決しようとする課題】
【０００４】
しかしながら、特許文献１に記載の技術では、燃料電池システムを冷却する際に使用したい不凍液を選択することができず、しかも水分管理が煩雑になるという問題がある。また、特許文献２に記載の技術では、水噴射を行う装置が必要となり、燃料電池システムを簡便に構成することができないという問題がある。
【０００５】
本発明は、前記従来の問題を解決するものであり、燃料電池の水分管理を適切に行うことができ、かつシステムを簡便化できる燃料電池システムを提供することを課題とする。
【課題を解決するための手段】
【０００６】
本発明は、燃料電池と、前記燃料電池のカソードに供給される酸化剤が通流する酸化剤流路と、前記燃料電池のカソードに酸化剤を供給する酸化剤ポンプと、前記燃料電池から排出される酸化剤オフガスで前記燃料電池に供給される酸化剤を加湿する膜加湿器と、を備えた燃料電池システムにおいて、前記酸化剤流路上に、前記膜加湿器の上流であって前記酸化剤ポンプの下流に水透過膜を用いた気化冷却式の酸化剤冷却器を備えることを特徴とする。
【０００７】
これによれば、酸化剤ポンプと膜加湿器との間の酸化剤流路に気化冷却式の酸化剤冷却器を配置することで、膜加湿器に供給される前の酸化剤を冷却することができ、燃料電池に供給される酸化剤の温度を低下させて、膜加湿器に供給される酸化剤オフガスの温度を適正化することができるので、膜加湿器において加湿効率が過度に低下する状態（「ドライアップ」ともいう）を防止することが可能になる。つまり、膜加湿器に供給される酸化剤オフガスの温度を低下させることで、膜加湿器内における凝縮水量を増加させることができ、ドライアップを防止できるようになる。
【０００８】
また、酸化剤冷却器として膜による気化冷却式を採用することにより冷却器自体を小さくすることができ、さらに、例えばインタークーラ（冷却用熱交換器）を使用して酸化剤を冷却した場合と比べて、該インタークーラを不要または小型化することができ、燃料電池システムの構成を簡便化することが可能になる。
【０００９】
また、前記燃料電池の排出流れ中の水を貯留する水貯留部を備え、前記水貯留部と前記酸化剤冷却器とは水の通流が可能となるように構成されていることを特徴とする。
【００１０】
これによれば、燃料電池から排出される水を水貯留部で貯留することで、燃料電池から排出される凝縮水を利用して酸化剤を冷却することができるので、凝縮水を有効に利用することができ、また酸化剤冷却器に水を供給するための装置を別個に設ける必要がない。
【００１１】
また、前記水貯留部と前記酸化剤冷却器との間において水の通流を可能にする通流管を備え、前記通流管には、前記水貯留部に貯留された水を前記酸化剤冷却器に送る水ポンプが配置されていることを特徴とする。
【００１２】
これによれば、燃料電池から排出される凝縮水を酸化剤冷却器に圧送する差圧が生じない領域が生じる燃料電池システムであっても、水ポンプを作動させることによって凝縮水を酸化剤冷却器に圧送することが可能になる。
【００１３】
また、前記酸化剤冷却器の上流であって前記酸化剤ポンプの下流に冷却液との熱交換により酸化剤を冷却する熱交換器を備えることを特徴とする。
【００１４】
これによれば、一般に熱交換器の規模は大きくなるものであるが、気化冷却式の酸化剤冷却器と熱交換器とを併用することにより、熱交換器の規模（サイズ）を小さくすることが可能になる。
【発明の効果】
【００１５】
本発明によれば、燃料電池の水分管理を適切に行うことができ、かつシステムを簡便化できる燃料電池システムを提供できる。
【図面の簡単な説明】
【００１６】
【図１】第１実施形態に係る燃料電池システムを示す全体構成図である。
【図２】希釈器の内部構成の一例を示す縦断面図である。
【図３】酸化剤冷却器の内部構成の一例を示す模式図である。
【図４】酸化剤冷却器を備えた場合の効果を説明するグラフである。
【図５】第１実施形態の変形例に係る燃料電池システムを示す構成図である。
【図６】第２実施形態に係る燃料電池システムを示す全体構成図である。
【図７】第３実施形態に係る燃料電池システムを示す全体構成図である。
【図８】第４実施形態に係る燃料電池システムを示す全体構成図である。
【図９】第１実施形態の他の変形例に係る燃料電池システムを示す全体構成図である。
【発明を実施するための形態】
【００１７】
以下、本発明の実施形態に係る燃料電池システムについて図面を参照して説明する。まず、図１ないし図３を参照して第１実施形態に係る燃料電池システムを説明する。なお、本実施形態の燃料電池システムは、四輪や二輪などの燃料電池車、船舶、航空機、家庭用や業務用で定置式のものなど電気を必要とするあらゆるものに適用できる。なお、以下では、燃料電池車を例に挙げて説明する。
【００１８】
（第１実施形態）
図１に示すように、第１実施形態の燃料電池システム１Ａは、燃料電池１０、アノード系２０、カソード系３０を含んで構成されている。
【００１９】
燃料電池１０は、例えば、固体高分子型燃料電池（Polymer Electrolyte Fuel Cell：ＰＥＦＣ）であり、ＭＥＡ（Membrane Electrode Assembly、膜電極接合体）を一対のセパレータ（図示せず）で挟持してなる単セルを厚み方向に複数積層し、各単セルを電気的に直列に接続した燃料電池スタックである。
【００２０】
ＭＥＡは、陽イオン交換膜からなる固体高分子電解質膜（以下、電解質膜と略記する）をアノードとカソードとで挟んで構成されている。アノードおよびカソードは、例えば、カーボンペーパ等からなるガス拡散層と、白金合金が表面に担持された多孔質カーボン粒子が前記ガス拡散層の表面に塗布されて形成される電極触媒層である。
【００２１】
セパレータは、カーボンなどの導電性の金属材料で形成され、水素（燃料ガス）が通流するアノード流路１１、空気（酸化剤）が通流するカソード流路１２がそれぞれ形成されている。なお、燃料電池１０を冷却する冷媒が通流する冷媒流路が形成され、冷媒流路がラジエータと接続されるように構成されている。
【００２２】
このように構成された燃料電池１０では、アノードに水素が供給され、カソードに空気中の酸素が供給されることにより、アノードおよびカソードに含まれる触媒上で電極反応が起こり、燃料電池１０が発電可能な状態となる。
【００２３】
また、燃料電池１０は、外部負荷と電気的に接続され、外部負荷によって電流が取り出されると、燃料電池１０が発電するようになっている。なお、外部負荷とは、エアポンプ３１、高圧バッテリ、走行モータなどである。
【００２４】
アノード系２０は、燃料電池１０のアノードに対して水素を給排するものであり、気液分離器２１、ドレン弁２２、パージ弁２３を含んで構成されている。また、アノード系２０は、図示しない高圧水素タンクから遮断弁および減圧弁を介して供給された水素が、アノード流路１１の入口１１ａに対して配管ａ１を介して供給されるようになっている。アノード流路１１の出口１１ｂから排出された未反応の水素は、配管ａ２，気液分離器２１、配管ａ３を介して配管ａ１に戻るようにして循環するように構成されている。図示していないが、水素を循環させる手段としては、エゼクタやポンプなどである。
【００２５】
気液分離器２１は、燃料電池１０のアノードから排出されたアノードオフガスに含まれる水分と未反応の水素とを分離する機能を有し、アノード流路１１の出口１１ｂから未反応の水素とともに排出される水分を貯留する貯留部を備えている。なお、アノードから排出される水分は、電解質膜を介してカソードからアノードに透過したものである。
【００２６】
気液分離器２１は、例えば、該気液分離器２１内の壁面に衝突して凝縮した水分が重力の作用によって空間内を落下して底部に形成された貯留部に貯留されるように構成されている。なお、ここでの水分とは、アノードオフガスの流れに同伴して燃料電池１０から気液分離器２１内に導入された凝縮水だけではなく、アノードの出口１１ｂからアノードオフガスの流れに同伴して排出された水蒸気が、気液分離器２１内の壁面などに当たることによって結露したものを意味している。
【００２７】
ドレン弁２２は、気液分離器２１の貯留部と配管ａ４を介して接続され、後記する希釈器３５と配管ａ５を介して接続されるように構成されている。また、ドレン弁２２は、燃料電池１０の発電時において、図示しない制御部によって開弁されることにより、貯留部に貯留された凝縮水が、配管ａ４，ａ５を介して希釈器３５に排出される。なお、ドレン弁２２を開弁するタイミングは、気液分離器２１内に水位センサを設けて判断してもよく、タイマを用いて定期的に開弁するようにしてもよい。
【００２８】
パージ弁２３は、例えば発電時において水素循環流路に蓄積した不純物を車外（燃料電池システム１Ａの外部）に排出する機能を備えている。また、パージ弁２３は、配管ａ６を介して配管ａ３と接続され、配管ａ７を介して後記する希釈器３５と接続されている。なお、パージ弁２３は、図示しない制御部によって、水素循環流路内の水素濃度の低下（発電性能の低下）に応じて、またはタイマによって定期的に開閉制御される。
【００２９】
カソード系３０は、燃料電池１０のカソードに対して空気（酸素）を給排するものであり、エアポンプ（酸化剤ポンプ）３１、酸化剤冷却器３２、膜加湿器３３、背圧弁３４、希釈器３５を含んで構成されている。エアポンプ３１は、配管ｂ１、酸化剤冷却器３２、配管ｂ２、膜加湿器３３、配管ｂ３を介してカソード流路１２の入口１２ａと接続されている。カソード流路１２の出口１２ｂは、配管ｂ４、膜加湿器３３、配管ｂ５、背圧弁３４、配管ｂ６、希釈器３５、配管ｂ７を介して車外と接続されている。なお、本実施形態に係る配管ｂ１〜ｂ７によって酸化剤流路が構成されている。
【００３０】
エアポンプ３１は、例えば、モータ（図示せず）で駆動される機械式の過給器（スーパーチャージャ）であり、車外から取り込んだ空気を圧縮して燃料電池１０のカソードに供給するように構成されている。
【００３１】
酸化剤冷却器３２は、エアポンプ３１から供給される高温の空気を冷却する機能を有し、気化熱を利用して空気（酸化剤）を冷却するように構成されている。なお、酸化剤冷却器３２の詳細については後記する。
【００３２】
膜加湿器３３は、エアポンプ３１から供給される乾燥空気（酸化剤）を加湿するものであり、例えば、複数の中空糸膜（水分交換膜）が束ねられた中空糸膜束が収容されたケース（不図示）を有し、エアポンプ３１からの乾燥空気の入口３３ａおよび出口３３ｂ、カソードオフガス（酸化剤オフガス）の入口３３ｃおよび出口３３ｄがそれぞれ形成されている。
【００３３】
膜加湿器３３では、例えば、ケース内の中空糸膜の内側をエアポンプ３１からの乾燥空気が通り、中空糸膜の外側を湿潤な空気を含むカソードオフガスが通ることで、中空糸膜に形成された細孔内にカソードオフガスに含まれる水蒸気が入り込む。そして、中空糸膜の細孔内を水蒸気が膜の外側から内側に移動することで、水蒸気が乾燥空気に渡されて乾燥空気が加湿される。なお、乾燥空気が中空糸膜の外側、カソードオフガスが中空糸膜の内側を通るようにしてもよい。
【００３４】
背圧弁３４は、例えばバタフライ弁などの開度調節可能な弁で構成され、燃料電池１０のカソードに供給される空気の圧力を調節する機能を有する。
【００３５】
希釈器３５は、アノード流路１１の出口１１ｂから排出されたアノードオフガスに含まれる水素とカソード流路１２の出口１２ｂから排出されるカソードオフガスとを混合し、規定の水素濃度を下回るように希釈する機能を有している。希釈後のガスは配管ｂ７を介して車外に排出される。
【００３６】
図２に示すように、希釈器３５は、例えば、箱型のケース３５ａを有し、該ケース３５ａ内の底部に水貯留部３５ｓが形成されるように構成されている。また、希釈器３５は、該ケース３５ａ内において複数の仕切板３５ｂによって上部から下部に向けて蛇行路が形成され、該蛇行路の最下部に希釈後のガスが外部に排出されるとともに配管ｂ７が接続される出口３５ｃが形成されている。出口３５ｃには、絞り部３５ｄが形成されている。また、ケース３５ａ内には、通流管ｃ１が貫通して挿入され、通流管ｃ１の上流端が水貯留部３５ｓ内に位置するように構成されている。なお、本実施形態では、希釈器３５が水貯留部３５ｓとして機能している。
【００３７】
すなわち、希釈器３５は、ケース３５ａ内の蛇行路の最上部から配管ｂ６を介してカソードオフガスが導入され、配管ａ７を介して水素を含む不純物などが導入されることにより、水素とカソードオフガスとが蛇行路を通過する際に混合されることで、規定の水素濃度に水素が希釈される。
【００３８】
また、カソードオフガスが希釈器３５内を通過すること、また希釈器３５内の壁面に衝突、接触することによって放熱され、カソードオフガスの温度が低下することで、カソードオフガスに含まれる水蒸気が凝縮（結露）する。生成された凝縮水は、重力の作用によって希釈器３５内の底部の水貯留部３５ｓに流れ込み、貯留されるようになっている。なお、配管ｂ６から凝縮水となって導入された水、また配管ａ５を介して導入されたドレン水（凝縮水）も、同様に、希釈器３５内の底部の水貯留部３５ｓに貯留される。
【００３９】
図３に示すように、酸化剤冷却器３２は、貯水部３２ａ、管部３２ｂ、膜部３２ｃ、オーバーフロー管ｃ２などで構成されている。
【００４０】
貯水部３２ａは、希釈器３５から通流管ｃ１を介して導入される凝縮水が溜まる流路を有し、その上流端が通流管ｃ１と接続され、下流端がオーバーフロー管ｃ２と接続されている。
【００４１】
管部３２ｂは、乾燥ガスが通流する流路を有し、上流端が配管ｂ１と接続され、下流端が配管ｂ２と接続されている。
【００４２】
膜部３２ｃは、複数本の中空糸膜（水透過膜）３２ｃ１，３２ｃ１，・・・を有し、各中空糸膜３２ｃ１の両端部が貯水部３２ａに開口し、中空糸膜３２ｃ１の内側と貯水部３２ａとが連通するように構成されている。また、膜部３２ｃは、中空糸膜３２ｃ１の両端部を除く部分が管部３２ｂ内に配置され、前記両端部がポッティング部材３２ｄを介して貯水部３２ａと管部３２ｂとの間が閉塞されている。
【００４３】
オーバーフロー管ｃ２は、下流端が車外（大気）に開放しており、例えば貯水部３２ａ内が満水になったときにオーバーフロー管ｃ２を介して車外に排出されるようになっている。
【００４４】
なお、燃料電池システム１Ａは、図示しない制御装置を備えており、図示しないイグニッションがオンにされると、エアポンプ３１の駆動が開始されるとカソードに向けて空気の供給が開始されるとともに、図示しない電磁作動式の水素遮断弁が開弁されるとアノードに向けて水素の供給が開始される。また、制御装置は、エアポンプ３１のモータの回転速度、背圧弁３４の弁開度、ドレン弁２２およびパージ弁２３の開閉が制御される。
【００４５】
次に、第１実施形態に係る燃料電池システム１Ａの動作について説明する。燃料電池１０の発電時において、カソード流路１２の出口１２ｂから排出されたカソードオフガス（水蒸気など）は、膜加湿器３３および背圧弁３４を通って希釈器３５内に導入される。カソードオフガスが希釈器３５内を通流することにより、カソードオフガスが放熱することで、カソードオフガスに含まれる水蒸気が凝縮して、凝縮水が希釈器３５内の底部に形成された水貯留部３５ｓに貯留される。水貯留部３５ｓに貯留された凝縮水は、希釈器３５内の圧力Ｐ１と、オーバーフロー管ｃ２に連通する大気の圧力Ｐ２との差圧、すなわち圧力Ｐ１が圧力Ｐ２よりも高く設定されることによって、通流管ｃ１を介して酸化剤冷却器３２に圧送される。
【００４６】
酸化剤冷却器３２に送られた凝縮水は、貯水部３２ａに導入されて、中空糸膜３２ｃ１の毛管現象によって各中空糸膜３２ｃ１の内側を通流する。これにより、エアポンプ３１から供給される乾燥ガスが管部３２ｂ内の中空糸膜３２ｃ１と中空糸膜３２ｃ１との間を通過する際、凝縮水が中空糸膜３２ｃ１を介して乾燥ガスの熱によって蒸発（気化）すること、換言すると気化熱によって乾燥ガスの温度を低下させることができる。そして、乾燥ガスは、酸化剤冷却器３２によって冷却された後、膜加湿器３３に導入される際、カソードオフガスによって加湿されることで、燃料電池１０の電解質膜が適度な加湿状態となる。
【００４７】
ところで、膜加湿器３３に導入する乾燥ガスの温度を下げる手段として、膜加湿器３３とエアポンプ３１との間にガス冷却用の熱交換器（いわゆるインタークーラ）を配置することが一般的に行われている。しかし、このような熱交換によって冷却を行う熱交換器は、燃料電池などの冷却に用いられる冷却媒体の温度の影響を受けてしまい（燃料電池と熱交換器とが同じ経路上の冷却媒体を用いているため）、外気温度が高い場合などでは、膜加湿器３３に導入する乾燥ガスの温度を十分に下げることができないケース（例えば、膜加湿器に対する導入温度が７０℃を超えてしまう）があった。
【００４８】
そこで、図４を参照して、膜加湿器３３の入口３３ａから導入される乾燥ガスの温度が７０℃の場合（比較例：破線）と５０℃の場合（本実施形態：実線）とを比較して説明する。また、図４において、実線で示すシステム成立水蒸気回収率下限ラインは、以下の式（１）によって求めることができ、この下限ラインの上側の領域がシステムが成立する領域となる。なお、式（１）におけるドレン水量とは、電解質膜を介してカソードからアノードに透過する水量を意味している。
（カソードオフガスに含まれる水蒸気量−（燃料電池１０から生成される生成水量−ドレン水量））／カソードオフガスに含まれる水蒸気量・・・（１）
また、図４において、横軸は、膜加湿器オフガス入口湿度、すなわち膜加湿器３３の入口３３ｃから導入される際のカソードオフガスの湿度を意味している。
【００４９】
図４に示すように、膜加湿器３３の入口３３ａから導入される乾燥ガスの温度を下げることで（７０℃→５０℃）、膜加湿器３３内での熱交換により、カソードオフガスがさらに冷やされることになる。これにより、膜加湿器オフガス入口湿度に対する水蒸気回収率が大きく低下していた傾向（図４の破線で示す７０℃のライン）を解消することが可能になる。したがって、図４に示すように、運転温度や運転圧力（急加速時など）が上昇して、膜加湿器オフガス入口湿度がＡからＢに低下した場合であっても、Ｓ１で示すように、システム成立水蒸気回収率の下限ラインを上回ることができるようになり、膜加湿器３３におけるドライアップ（ＤＲＹ−ＵＰ）による乾燥ガスに対する低加湿を回避することが可能になる。
【００５０】
このように第１実施形態に係る燃料電池システム１Ａによれば、膜加湿器３３の上流、かつ、エアポンプ３１の下流に酸化剤冷却器３２を設けることで、酸化剤冷却器３２に投入された凝縮水が中空糸膜３２ｃ１を介して蒸発する際に気化熱によって乾燥ガスの温度を下げることができるので、既存の熱交換器（インタークーラ）を廃止することが可能になる。また、酸化剤冷却器３２は、充填効率のよい膜を用いた気化熱式であるため、規模（サイズ）を非常に小型にでき、低コストにて膜加湿器３３のドライアップ対策が可能となる。
【００５１】
また、酸化剤冷却器３２に使用される膜として、毛管凝縮型の中空糸膜３２ｃ１を用いることで、低コストに抑えることができ、しかも中空糸膜３２ｃ１の毛管内の水によって、中空糸膜３２ｃ１内への乾燥ガスの逆流を抑制することができる。
【００５２】
また、第１実施形態によれば、希釈器３５内に水貯留部３５ｓを備えて、水貯留部３５ｓと酸化剤冷却器３２とを通流管ｃ１にて接続することで、水貯留部３５ｓに貯留された凝縮水を、通流管ｃ１を介して酸化剤冷却器３２に圧送することが可能になる。また、希釈器３５内を水貯留部３５ｓとして利用することで、水貯留部３５ｓを別個に設ける必要がないので、燃料電池システム１Ａを簡略化、小型化することが可能になる。
【００５３】
（第１実施形態の変形例）
図５は第１実施形態の変形例に係る燃料電池システムを示す構成図である。この燃料電池システム１Ｂは、燃料電池システム１Ａから通流管ｃ１を削除して、希釈器３５と酸化剤冷却器３２とを隣接して構成したものである。なお、その他の構成については、同一の符号を付して重複した説明を省略する（以下に示す他の実施形態についても同様である）。
【００５４】
図５に示すように、第１実施形態の変形例に係る燃料電池システム１Ｂは、例えば、希釈器３５が酸化剤冷却器３２の上部に接して配置され、希釈器３５内に形成された水貯留部３５ｓ(図２参照)の凝縮水の出口３５ｂ１と、酸化剤冷却器３２の凝縮水の入口３２ａ１とが鉛直方向または略鉛直方向において連通するように構成されている。これにより、希釈器３５の水貯留部３５ｓに溜まった凝縮水は、重力の作用によって酸化剤冷却器３２の貯水部３２ａ（図３参照）に導入される。
【００５５】
第１実施形態の変形例に係る燃料電池システム１Ｂによれば、通流管ｃ１を削除した構成とすることで、システムのさらなる簡便化が可能となり、さらに、通流管ｃ１のレイアウトを考慮する必要がなく、しかも後記するような圧送するための水ポンプ４０を設ける必要もない。
【００５６】
（第２実施形態）
図６は第２実施形態に係る燃料電池システムを示す全体構成図である。この燃料電池システム１Ｃは、第１実施形態に係る燃料電池システム１Ａの通流管ｃ１に水ポンプ４０を追加した構成である。
【００５７】
図６に示すように、燃料電池システム１Ｃは、通流管ｃ１の途中に水ポンプ４０を備えている。この水ポンプ４０は、例えば、モータで駆動されるものであり、希釈器３５から酸化剤冷却器３２までの間において差圧が発生しない領域に配置され、差圧が発生する領域まで送られた凝縮水を吸引して、酸化剤冷却器３２に強制的に送る機能を有している。
【００５８】
また、水ポンプ４０は、図示しない制御装置と電気的に接続されており、燃料電池１０の発電中、または適宜必要に応じて（例えば、貯水部３２ａの水量が不足したとき）駆動される。
【００５９】
第２実施形態の燃料電池システム１Ｃによれば、水ポンプ４０を設けることで、凝縮水を酸化剤冷却器３２に圧送するための差圧が発生しなくなる場合であっても、希釈器３５内の凝縮水を酸化剤冷却器３２に確実に送ることができるようになる。また、第２実施形態では、差圧が発生しなくなる領域に配置することで、無駄に大型で消費電力の大きな水ポンプを使用しなくてもよい。また、第２実施形態では、水ポンプ４０を使用することにより、差圧を発生させるために希釈器３５を複雑な構成にする必要もない。
【００６０】
（第３実施形態）
図７は第３実施形態に係る燃料電池システムを示す全体構成図である。第３実施形態の燃料電池システム１Ｄは、水貯留部を設ける位置を希釈器３５に替えて消音器５０としたものである。
【００６１】
消音器５０は、燃料電池システム１Ｄの外部に排出される排気ガスの音を小さくするためのものであり、希釈器３５の下流に設けられている。消音器５０は、例えば、配管ｂ７よりも膨張した空間からなる膨張部５０ａを有し、該膨張部５０ａ内の底部に水貯留部５０ｓが形成されている。なお、膨張部５０ａは、消音性を発揮するために、その内部が複数の隔壁によって区画され、またグラスウールなどの吸音材を備えて構成されている。
【００６２】
また、消音器５０には、水貯留部５０ｓと連通する通流管ｃ３の上流端が接続され、通流管ｃ３の下流端が酸化剤冷却器３２の貯水部３２ａに接続されている。
【００６３】
第３実施形態の燃料電池システム１Ｄによれば、第１実施形態において希釈器３５に水貯留部３５ｓを設けた場合と同様な効果を得ることができる。また、消音器５０内に水貯留部５０ｓを設けることで、専用の水貯留部を別個に設ける必要がなく、システムを簡便化できる。
【００６４】
（第４実施形態）
図８は第４実施形態に係る燃料電池システムを示す全体構成図である。第４実施形態の燃料電池システム１Ｅは、第１実施形態の燃料電池システム１Ａにおいて、酸化剤冷却器３２の上流、かつ、エアポンプ３１の下流に熱交換器６０を追加した構成である。熱交換器６０は、いわゆるインタークーラ（Ｉ／Ｃ）と称されるものであり、冷却液が通る配管の周囲に放熱用のフィン（不図示）を備えたものである。
【００６５】
熱交換器６０は、その冷却媒体を燃料電池１０を冷却する冷却液と共有するものであり、燃料電池１０およびラジエータ７０を介して循環するように構成されている。すなわち、熱交換器６０の冷却液の出口６０ａは、配管ｄ１を介してラジエータ７０の冷却液の入口７０ａと接続されている。ラジエータ７０の冷却液の出口７０ｂは、配管ｄ２を介して燃料電池１０の冷媒流路１３の入口１３ａと接続されている。冷媒流路１３の出口１３ｂは、配管ｄ３を介して熱交換器６０の冷却液の入口６０ｂと接続されている。なお、図示していないが、燃料電池システム１Ｅは、ラジエータ７０をバイパスするバイパス配管、およびバイパス配管とラジエータとの間での冷却液の温度に応じて冷却液の流量を調整する切替弁（例えば、サーモスタット弁）を備えている。
【００６６】
よって、ラジエータ７０による放熱により冷却された冷却液は、燃料電池１０の冷媒流路１３を通流することにより燃料電池１０が冷却され、そして熱交換器６０を冷却して、ラジエータ７０に戻る。
【００６７】
第４実施形態の燃料電池システム１Ｅによれば、熱交換器６０を酸化剤冷却器３２の上流に設置して、熱交換器６０と酸化剤冷却器３２を併用することで、一般に大型化する熱交換器６０の規模（サイズ）を小さくすることが可能になる。
【００６８】
なお、第４実施形態では、熱交換器６０の冷媒として冷却液を使用した水冷式の場合を例に挙げて説明したが、これに限定されるものではなく、冷媒として空気を使用した空冷式のものであってもよい。
【００６９】
また、本発明は前記した各実施形態に限定されるものではなく、第３実施形態において、通流管ｃ３で差圧が発生しない領域に水ポンプ４０を配置して圧送するようにしてもよい。また、第４実施形態についても同様に、通流管ｃ１で差圧が発生しない領域に水ポンプ４０を配置して圧送するようにしてもよい。
【００７０】
また、図９に示した燃料電池システム１Ａ´では第１実施形態の変形例として、システム全体でのレイアウト性等の要因により、酸化剤冷却器３２をエアポンプ３１の上流側に配置している。このように配置しても、膜加湿器３３に導入される乾燥ガスを加湿に適正な温度まで下げて供給することが可能である。
【００７１】
また、第３実施形態において、消音器５０と酸化剤冷却器３２とを通流管を介することなく隣接して配置、すなわち、酸化剤冷却器３２の上部に消音器５０を隣接して配置するようにしてもよい。
【００７２】
また、本実施形態では、希釈器３５に水貯留部３５ｓを設けた場合、また消音器５０に水貯留部５０ｓを設けた場合を例に挙げて説明したが、これに限定されるものではなく、専用の水貯留部を、カソード流路１２の出口１２ｂより下流側の酸化剤流路に設ける構成であってもよい。
【符号の説明】
【００７３】
１Ａ〜１Ｅ，１Ａ´  燃料電池システム
１０    燃料電池
３１    エアポンプ（酸化剤ポンプ）
３２    酸化剤冷却器
３２ａ  貯水部
３２ｂ  管部
３２ｃ  膜部
３２ｃ１  中空糸膜（水透過膜）
３２ｄ  ポッティング部材
３３    膜加湿器
３５    希釈器
３５ｓ  水貯留部
５０    消音器
５０ｓ  水貯留部
ｂ１〜ｂ７  配管（酸化剤流路）
ｃ１，ｃ３  通流管
ｃ２    オーバーフロー管
【図１】
2012089284.tif 000003
【図２】
2012089284.tif 000004
【図３】
2012089284.tif 000005
【図４】
2012089284.tif 000006
【図５】
2012089284.tif 000007
【図６】
2012089284.tif 000008
【図７】
2012089284.tif 000009
【図８】
2012089284.tif 000010
【図９】
2012089284.tif 000011